(57)【要約】【課題】本発明の目的は、着磁性の中央部と非着磁性の周縁部とを有するバイメタルコインを選別できるコインセレクタを提供することである。【課題を解決するための手段】本発明は、着磁性の中央部と非着磁性の周縁部とを有するバイメタルコインが重力によってコイン通路を移動する途中に正貨と偽貨とに選別されるコインセレクタにおいて、コイン通路に配置され、かつ、コインの周面がガイドされる案内体と、前記案内体の下流、かつ、側方であって、コイン通路の側方に配置された磁石によってバイメタルコインのセレクタを構成したものである。【選択図】　　　　図４
2004030324.tif 000002
【特許請求の範囲】
【請求項１】
着磁性の中央部（ＣＢ）と非着磁性の周縁部（ＣＣ）とを有するバイメタルコイン（Ｃ）が重力によってコイン通路（６）を移動する途中に正貨と偽貨とに選別されるセレクタにおいて、
コイン通路（６）に配置され、かつ、コイン（Ｃ）の周面がガイドされる案内体（１８）と、
前記案内体（１８）の下流、かつ、側方であって、コイン通路（６）の側方に配置された磁石（２４）
を含むバイメタルコインのセレクタ。
【請求項２】
前記磁石（２４）が案内体（１８）の下流、かつ、側方であって、さらに、案内体（１８）の上面（１８Ａ）よりも下方に配置されている請求項１のバイメタルコインのセレクタ。
【請求項３】
前記バイメタルコイン（Ｃ）の直径部周面が案内体（１８）に接したとき、前記磁石（２４）はバイメタルコインの中心よりも案内体（１８）側の面に多く相対するよう配置される請求項２のバイメタルコインのセレクタ。
【請求項４】
弱着磁性の中央部と非着磁性の周縁部とを有するバイメタルコイン（Ｃ）が重力によってコイン通路（６）を移動する途中に正貨と偽貨とに選別されるコインセレクタにおいて、
投入口（１１）の下流に配置され、バイメタルコインの直径と重量を判別するためのクレードル（１６）と、
クレードル（１６）の下流に傾斜配置され、バイメタルコインを案内する案内体（１８）と、
案内体（１８）の下流、かつ、側方であって、コイン通路（６）の側方に配置された磁石（２４）と、
磁石（２４）の下流、かつ、下方に配置され、真正コインと偽コインをガイドする補助ガイド（２６）と
を含むバイメタルコインのセレクタ。
【請求項５】
前記磁石（２４）は、最大エネルギー積が１７．５〜２０ＭＧＯｅ、残留磁化が８．４〜９．０ＫＧ、保磁力が８．２〜８．８ＫＯｅである請求項１又は４のバイメタルコインのセレクタ。
【請求項６】
前記磁石（２４）は、短手約６．６ミリ、長手約１５．４ミリであって、案内体（１８）の上面（１８Ａ）の延長線（Ｌ１）に沿ってその長手方向軸線が配置されている請求項１又は４のバイメタルコインのセレクタ
【発明の詳細な説明】
【０００１】
【発明が属する技術分野】
本発明は、自動販売機やゲーム機等に用いられ、コインの真偽を判別するセレクタに関する。
詳しくは、中央部が着磁性を有する材料で形成され、かつ、その周囲が非着磁性材料で形成されたバイメタルコインのセレクタに関する。
更に詳しくは、中央部が弱着磁性を有する材料で形成されたバイメタルコインのセレクタに関する。
なお、本明細書で使用する「コイン」は、通貨であるコインの他、ゲーム用のメダル、トークン等の代用コインも包含する。
【０００２】
【従来の技術】
コインの不正使用を防止するため、バイメタルコインが提案されている。
バイメタルコインは、円盤形に作られた中央部と、リング形の周縁部とを有する。
バイメタルコインの代表が、１ユーロコインや２ユーロコインである。
ユーロコインの場合、中央部が着磁性材料で作られ、周縁部が非着磁性材料で作られている。
【０００３】
なお、ユーロコインの場合、中央部の着磁性材料は、鉄などの強磁性材料よりも着磁性が小さい弱着磁性材料が使用されている。
着磁性を有するコインを選別するため、永久磁石を採用したセレクタとして、特公昭６３−２９３０８号（米国特許第４，３７６，４８０号）、特許第２６２０７４０号（米国特許第５２９１９８０号）
及び実用新案登録第２５８３００５号が知られている。
【０００４】
第１の従来技術である特公昭６３−２９３０８号は、非磁性材料の選別を目的とするものである。
その構造は、傾斜案内体上を転がるコインが移動する通路の側方に制動用磁石が配置される。
コインが制動用磁石の側方を通過するとき、この制動用磁石の磁力によってコイン内部にコイン材料に対応した渦電流を発生させることによりコインを制動し、その制動の程度によりコイン材料を選別するものである。
【０００５】
コインを制動するに十分な渦電流を発生させるため、制動用磁石はコインとの相対面積が大きく、かつ、その磁力は大きく設定されている。
すなわち、第１従来技術のセレクタは、コインを制動するための制動用磁石が、案内体上を転動するコイン通路の側方であって、かつ、コインの中央部に相対して配置されている。
【０００６】
第２従来技術としての特許第２６２０７４０号に開示されたセレクタは、前記制動用磁石に加えて、前記案内体の下流端に円柱状の案内用磁石が配置されている。
第２従来技術は、周縁が着磁性を有するコインの選別を目的とする。
すなわち、周縁が着磁性のコインは、案内用磁石に吸着されてその磁石を回り込むように方向転換される性質を利用して選別するものである。
【０００７】
第３従来技術としての実用新案登録第２５８３００５号は、相対的に吸着力の弱い第１の磁石部材を上流のコイン通路に、それよりも吸着力の強い第２の磁石部材を下流のコイン通路に配置してある。
周縁が強着磁性コインのみが、第１の磁石部材に吸着されてそれを回り込むように進路を変更されて選別される。
第１の磁石部材により吸着されずにそのまま通過した弱着磁性コインは、第２の磁石部材により吸着されてそれを回り込むように進路を変更されて選別される。非着磁性コインは、第１及び第２の磁石部材に吸着されないので進路を変更されずに通過することで、選別される。
【０００８】
【発明が解決しようとする課題】
第１従来技術のセレクタに前記ユーロコインが使用された場合、ユーロコインは、案内体に支えられているときに、その中央部が制動用磁石に相対して吸着保持されてしまい、選別することができない。
第２従来技術に前記ユーロコインを使用した場合、ユーロコインは周縁部が非着磁性材料であるので、案内用磁石によって方向転換されず、選別することができない。
第３従来技術に前記ユーロコインを使用した場合、ユーロコインの周縁部が非着磁性材料であるので、前記第２従来技術同様に磁石によって進路変更されず、選別することができない。
【０００９】
本発明の第１の目的は、着磁性の中央部と非着磁性の周縁部とを有するバイメタルコインを選別できるセレクタを提供することである。
本発明の第２の目的は、前記セレクタを安価に提供することである。
本発明の第３の目的は、コイン選別のための調整が容易なセレクタを提供することである。
【００１０】
【課題を解決するための手段】
これらの目的を達成するため、第１の発明は以下のように構成したものである。すなわち、着磁性の中央部と非着磁性の周縁部とを有するバイメタルコインが重力によってコイン通路を移動する途中に正貨と偽貨とに選別されるコインセレクタにおいて、コイン通路に配置され、かつ、コインの周面がガイドされる案内体と、前記案内体の下流、かつ、側方であって、コイン通路の側方に配置された磁石によってバイメタルコインのセレクタを構成したものである。
【００１１】
この構成において、バイメタルコインは、コイン通路に案内されながら重力によって転げおちる。
バイメタルコインは、案内体上を転がった後、案内体から落下する途上においてその中央部側面が磁石と相対し、その磁力により案内体側へ吸引される。
この吸引により、バイメタルコインは、その周面が案内体の側面に沿って下方へ移動し、方向転換される。
この後、バイメタルコインは前記磁石の影響域を外れて重力により自然落下し、正貨口から排出される。
【００１２】
全体が非着磁性コインの場合、磁石の吸着力が作用しないので、案内体の側面に沿って移動せず、案内体のガイド方向に移動し、偽貨口から排出される。
全体が強着磁性コインの場合、磁石に吸着されて落下できずにコイン通路に保留され、選別される。
全体が弱着磁性コインの場合、案内体にコインが載っている間に磁石と相対するため、磁石に吸着され、コイン通路に保留され、選別される。
この構造は、案内体と磁石が主要構造部品であるので、構造が簡単で安価であり、かつ、電源の無い場所でも使用できる。
【００１３】
この発明は、磁石が案内体の下流、かつ、側方であって、さらに、案内体よりも下方に配置されていることが好ましい。
この構成において、中央部が磁石のほぼ全面と相対したとき、バイメタルコインの周面が案内体に支えられないようにすることができる。
また、全体が弱着磁性のコインの場合、コインの周面が案内体に支えられている状態で磁石のほぼ全面とコインが相対するようになり、コインが磁石に吸着保持される。
結果として、バイメタルコインと全体弱着磁性コインとを選別することができる。
【００１４】
この発明は、バイメタルコインの直径部周面が、案内体に接したとき、前記磁石はバイメタルコインの中心よりも案内体側の面に多く相対するよう配置されることが好ましい。
この構成において、バイメタルコインの中心部は、磁石の磁力の中心部よりも案内体から遠い位置になる。
磁石の磁力によって、バイメタルコインに対し案内体側へ引き寄せる吸着力が作用するため、バイメタルコインを案内体に沿って誘導することができる。
結果として、バイメタルコインの誘導位置を安定させることができ、選別が正確になる。
【００１５】
第２の発明は、弱着磁性の中央部と非着磁性の周縁部とを有するバイメタルコインが重力によってコイン通路を移動する途中に正貨と偽貨とに選別されるコインセレクタにおいて、投入口の下流に配置され、バイメタルコインの直径と重量を判別するためのクレードルと、クレードルの下流に傾斜配置され、バイメタルコインを案内する案内体と、案内体の下流、かつ、側方であって、コイン通路の側方に配置された磁石と、磁石の下流、かつ、下方に配置され、真正コインと偽コインをガイドする補助ガイドとを含むバイメタルコインのセレクタである。
【００１６】
第２の発明において、バイメタルコインを使用する場合、まずコインはクレードルによって直径と重量を選別される。
直径と重量が真正と判定されたコインは、次に案内体と磁石によって中央部が着磁性材料であるか判別される。
すなわち、真正バイメタルコインは、コイン通路の側方に配置されている磁石によって着磁性の中央部を吸引されて案内体に沿って誘導され、正貨口へ誘導される。
【００１７】
非着磁性コインは、磁石の影響を受けないので案内体に沿うことなく移動し、偽貨口に達する。
全体が着磁性のコインは、案内体に支えられている間に磁石のほぼ全面に相対して吸着され、コイン通路に保持される。
結果として、バイメタルコインのみが正貨口へ誘導される。
【００１８】
次に、正貨と偽貨の振り分けが不十分なコインは、固定配置された補助ガイド上に落下し、補助ガイドとの当接位置のコイン周面の傾斜方向によって正貨口或いは偽貨口へ強制的に誘導され、選別される。
この構成は、クレードル、案内体、磁石及び補助ガイドという簡単な構造によりコインの選別を行うことができるので、安価である。
また、電源の無い場所でも使用できる。
【００１９】
第１及び第２の発明は、磁石が、最大エネルギー積１７．５〜２０ＭＧＯｅ、残留磁化８．４〜９．０ＫＧ、保磁力８．２〜８．８ＫＯｅの永久磁石であることが好ましい。
実験確認において、この永久磁石を使用することが要求性能及び低コストを達成するために好ましいものであった。
【００２０】
第１及び第２の発明において、磁石は、短手約６．６ミリ、長手約１５．４ミリであって、案内体の上面の延長線に沿ってその長手方向軸線が配置されていることが好ましい。
２ユーロの直径は、約２５．７５ミリ、着磁性の中央部の直径は、約１８．２５ミリである。
このバイメタルコインのサイズと、バイメタルコインの直径部周面が、案内体に接したとき、前記磁石がバイメタルコインの中心よりも案内体側の面に多く相対する関係を成立させるには、前記の磁石サイズが好都合である。
【００２１】
【発明の実施の形態】
図１は、実施例の正面右上方からの斜視図である。
図２は、実施例の正面図である。
図３は、図２におけるＡ―Ａ線断面図である。
図４は、実施例の作用説明図である。
【００２２】
２ユーロコインに適した実施例を以下説明する。
固定ガイドボード１は垂直に配置された平板状のバックボード１Ａと、その両サイドを前方に直角に折り曲げたサイドボード１Ｂ及び１Ｃを有する。
サイドボード１Ｃの中間からサイドボード１Ｂ側へ水平に折り曲げられたブラケット２Ａ及び２ＢのＵ溝に垂直に取り付けられた固定軸３に、板状の可動ガイドボード４の右端部が回動可能に取り付けられている。
【００２３】
可動ガイドボード４は水平方向に回動可能であるが、スプリング５によってバックボード１Ａ側へ回動され、左端部のＬ形部４Ａがバックボード１Ａに突き当たって静止される。
これにより、バックボード１Ａと可動ガイドボード４とはコインの厚みよりも僅かに大きい間隔で平行に配置され、上下方向に垂直に延びるコイン通路６を形成している。
【００２４】
固定軸３に回動自在にブラケット７が取り付けられ、スプリング５によって可動ガイドボード４側へ付勢されている。
ブラケット７に矩形ブロック状に形成されたガイド部８が、可動ガイドボード４の開口４Ｃに進退自在に挿入され、その側面８Ａはコイン通路６に面している。
ブラケット７の先端部にねじ込んだスクリュウ９をガイドボード４から突出するピン１０に当接することにより、端面８Ａとバックボード１Ａとの間隔は、コインの厚みよりも僅かに厚く設定される。
すなわち、ガイド部８の側面８Ａとバックボード１Ａとの間は、コイン通路６である。
【００２５】
左側のサイドボード１Ｂの近くに矩形の投入口１１が形成されている。
投入口１１において、おおよそのコイン直径とコインの厚みが選別される。
すなわち、図４に示すように、Ｌ形部４Ａに隣接し、左上方に向かって傾斜する案内面１２を有する直径規制片１３が、可動ボード４の横方向に伸びる長孔４Ｂを貫通するスクリュウ１４によって、可動ボード４に固定されている。
【００２６】
直径規制片１３は、長孔４Ｂの範囲において、対面する可動ガイドボード４の規制面１５との距離が調整可能である。
すなわち、直径規制片１３と規制面１５との間の最少間隔、すなわち長さＬは、使用コインの直径よりも僅かに大きく設定される。
また、投入口１１の厚みは、使用コインの厚みよりも僅かに大きく設定されている。
【００２７】
したがって、投入口１１の長さＬよりも直径が大きいコインや、厚みが大きいコインは、投入口１１を通過することができず、一次選別される。
投入口１１の直ぐ下方に、所定の間隔で配置された爪１６Ａ及び１６Ｂを有する公知のクレードル１６が配置されている。
クレードル１６は、可動ガイドボード４から横方向に突出する固定軸１７に回動自在に取り付けられている。
【００２８】
図４に示すように、クレードル１６の斜め下方に案内体であるガイドレール１８が配置されている。
ガイドレール１８は、可動ガイドボード４の長孔１９内でスライド可能であり、所定位置で可動ガイドボード４にスクリュウ２０により固定されている。
長孔１９は、クレードル１６から離れる方向に下降するよう傾斜している。
ガイドレール１８は、ポリアセタール等の耐摩耗性を有する樹脂で成形されているが、金属であってもよい。
【００２９】
ガイドレール１８はその上面１８Ａが直線状であって、クレードル１６から離れる方向へ向かって下降する傾斜を有し、それに続く下流側の側面１８Ｂは上面１８Ａに対し直角をなし、それに続く下側面１８Ｃは側面１８Ｂに対し鈍角をなしている。
これら側面１８Ｂ及び下側面１８Ｃは、コインが沿いつつ移動可能であれば、弧状や側面１８Ｂのみであってもよい。
また、上面１８Ａ、側面１８Ｂ及び下側面１８Ｃを案内体本体と別部材により成形し、案内体本体の周面に着脱可能に固定してもよい。
この分割構造を採用した場合、前記面部材が摩耗したときに交換することができる。
【００３０】
可動ガイドボード４は、バックボード１Ａの背面に固定したシャフト（図示せず）に回動自在に取り付けたキャンセルレバー２１を下方に押し下げたとき（図４おいて反時計方向へ回動）、キャンセルレバー２１から突出するピン２２が可動ガイドボード４内面に形成したカム面（図示せず）を押し、固定軸３を支点にバックボード１Ａから離れるように回動される。
【００３１】
また、バックボード１Ａから突出するシャフト２０に固定され、バックボード１Ａと可動ガイドボード４との間に配置されるレバー状のワイパー２３が、コイン通路６に進出可能に取り付けられている。
すなわち、ワイパー２３に形成された長孔２３Ａを貫通するピン２２が下方へ移動するとき、ワイパー２３は時計方向へ回動され、コイン通路６の磁石２４近傍へ移動できる。
【００３２】
略長方形の磁石２４が、ガイドレール１８の下流、かつ、側方であって、コイン通路６の側方に配置されている。
すなわち、ガイド部８の下面にアングル形の取り付け片２５をスクリュウ２６で固定し、この取り付け片２５の垂直方向に伸びる取り付け部２７に磁石２４が接着等により固定してある。
磁石２４のコイン通路６に相対する通路面２４Ａは、ガイド部８のガイド面８Ａと同一平面内に位置している。
図４に示すように、磁石２４はガイドレール１８の上面１８Ａの延長線Ｌ１にその長手方向の軸線を一致させて配置されている。
すなわち、磁石２４は、クレードル１６から離れる方向に下降するよう傾斜配置されている。
【００３３】
また、２ユーロコインの直径部が上面１８Ａと側面１８Ｂの接続部である角部１８Ｄに接した図４のコイン位置Ｃ２において、磁石２４の磁石中央部２４Ａ（磁石２４の重心）がコイン位置Ｃ２におけるコイン中心ＣＡよりもガイドレール１８側に位置するよう配置されている。
すなわち、磁石２４は、コイン中心ＣＡよりもガイドレール１８側の面に多く相対するよう配置されている。
この状態において、磁石２４の磁力はコインをガイドレール１８側に引き寄せるように作用するため、コインはガイドレール側面１８Ｂ及び下側面１８Ｃに接しつつ、或いはそれらに沿いつつ移動する。
【００３４】
また、磁石２４は、そのガイドレール１８側の上端部が、角部１８Ｄから水平に伸びるラインＬ２とほぼ同じ位置に配置される。
すなわち、磁石２４の上部は、ガイドレール１８の角部１８Ｄにコインの下方に向かう重量が作用しているとき（図４におけるコイン位置Ｃ１）、コインＣの中央部ＣＢと周縁部ＣＣとの境界付近にあるよう配置される。
換言すると、磁石２４は、この位置において着磁部に実質的に相対しないように配置される。
【００３５】
このレイアウトは、コイン全体が中央部ＣＢと同一の着磁性材料で作られた偽コインの場合、コインの重量の一部が角部１８Ｄに支えられている状態において、コインの下部が磁石２４の大部分と相対する。
これにより、コインは磁石２４によって吸着保持され、結果としてコインがコイン通路６に保留されて選別される。
【００３６】
磁石２４は、フェライト系の永久磁石であって、縦約６．６ミリ、横約１５．４ミリ、厚み約２．７ミリの横長矩形である。
磁石２４の磁気特性は、最大エネルギー積１７．５〜２０ＭＧＤｅ、保持力８．２〜８．８ＫＯｅ、残留磁化８．４〜９．０ＫＧである。
実験によれば、２ユーロコイン用として上記外形寸法及び磁気特性が好ましい。しかし、磁石２４は、同様の機能を満足するものであれば、形状及び材質を問わず、また、電磁石であってもよい。
永久磁石を採用することにより、安価であり、かつ、電源を必要としないというメリットがある。
【００３７】
バックボード１Ａの下部の磁石２４の下方に、横方向に伸びる長孔２５が形成されている。
長孔２５に板金製の縦方向に伸びる補助ガイド２６が、コイン通路６に突出するよう挿入され、左右方向に位置調整可能にスクリュウ２７とナット２８によって固定されている。
図４において、ガイド片２６の左側が正貨口２９であり、右側が偽貨口３０である。
【００３８】
真正コインＣのコイン通路６は、投入口１１を通ってクレードル１６からガイドレール１８、そして正貨口２９に達するルートである。
偽コインＣのコイン通路６は、ガイドレール１８から偽貨口３０に達するルートである。
投入口１１又はクレードル１６に詰まったコインＣは、キャンセルレバー２１が押し下げられて、可動ガイドボード４がスプリング５に反してバックボード１Ａから離されたときに落下し、偽貨口３０に重なるように配置された第２偽貨口（図示せず）、に誘導され、返却される。
【００３９】
次に真正２ユーロコインを用いたときのコインの動きを説明する。
投入されたコインＣは、投入口１１を垂直に下方へ落下し、クレードル１６の爪１６Ａ及び１６Ｂによって保持される。
クレードル１６はコインＣの重量によってバランスが崩れ、図４において固定軸１７を中心にガイドレール１８側である時計方向へ回動される。
クレードル１６が所定量回動されたとき、コインＣは自重でガイドレール１８上に落下する。
【００４０】
落下したコインＣは、ガイドレール１８の上面１８Ａをその傾斜により転がった後、角部１８Ｄから、落下する。
落下後、コインＣは転がりによる慣性力と重力により、放物線状に偽貨口３０側へ落下しようとする。
しかし、コインＣは角部１８Ｄに重量が加わらなくなったコイン位置Ｃ２において、その弱着磁性である中央部ＣＢの下部が磁石２４のほぼ全面と相対する。
【００４１】
そして、コイン中心よりもガイドレール１８に近い位置における磁石２４と中央部ＣＢとの相対面積が大きいので、コインＣはガイドレール１８側へ吸引される。
結果として、コインＣはその周面が、側面１８Ｂ及び下側面１８Ｃと接しつつ、或いはそれらに近接した位置を落下する。
したがって、コインＣは補助ガイド２６よりも左側の正貨口２９に落下する。
【００４２】
次に中央部ＣＢに強着磁性材を使用した偽コインを投入したケースを説明する。
偽コインは前述同様クレードル１６およびガイドレール１８に案内されて磁石２４の側方に達する。
中央部ＣＢは強着磁材料のため、磁石２４による吸着力が大きいので、コインＣＦがガイドレール１８に一部を支えられていないコイン位置Ｃ２の位置であっても磁石２４に吸着され、その位置でコイン通路６に保持され、選別される。
【００４３】
全体が弱磁性材料で作られた偽コインの場合、コインの一部がガイドレール１８の角部１８Ｄにおいて支えらているコイン位置Ｃ１において、コインＣＦの下部と磁石２４のほぼ全面が相対する。
このため、偽コインの重量の一部が角部１８Ｄに支えられているので、磁石２４による偽コインに対する吸着力が小さくとも、偽コインは磁石２４に吸着され、コイン通路６に保持される。
【００４４】
磁石２４により吸着保持されたコインは、キャンセルレバー２１を押し下げることにより、ガイド部８の位置はそのままで、可動ガイドボード４のみが、固定軸３を支点に回動される。
同時に、ワイパー２３が図４において時計方向へ回動される。
結果として、磁石２４に吸着保持されているコインは、ワイパー２３によって掻き落とされ、第２偽貨口から返却される。
【００４５】
次に非着磁性コインを投入したケースを説明する。
非着磁性コインは、前述同様クレードル１６及びガイドレール１８に案内されて磁石２４の側方に達する。
しかし、非着磁性であるため、磁石２４に吸着されることなく通過し、慣性力によって、偽貨口３０に落下する。
【００４６】
コインＣの転がり速度のバラツキ等により、完全に正貨口２９或いは偽貨口３０へコインを誘導することができず、コインが補助ガイド２６上に落下することがある。
この状況において、コインの右側の弧状周面が補助ガイド２６に接触した場合、その弧状周面の傾斜によって図４において左方へガイドされて正貨口２９へ案内される。
【００４７】
コインの左側の弧状周面が補助ガイド２６に接触した場合、図４において右方へガイドされ、偽貨口３０へ案内される。
補助ガイド２６は、磁石２４による不完全な振り分けを補完して正確なコイン選別に寄与する。
【００４８】
なお、本発明は種々の変更が可能である。
磁石２４は、中央部ＣＢと周縁部ＣＣのサイズの違いに対応して、その磁力と大きさを適宜設定することができる。
また、大きさや形状は、任意に設定することができる。
【００４９】
【図面の簡単な説明】
【図１】図１は、実施例の正面右上方からの斜視図である。
【図２】図２は、実施例の正面図である。
【図３】図３は、図２におけるＡ―Ａ線断面図である。
【図４】図４は、実施例の作用説明図である。
【符号の説明】
Ｃ　　　　　バイメタルコイン
ＣＢ　　　　中央部
ＣＣ　　　　周縁部
６　　　　　コイン通路
１１　　　　投入口
１８　　　　案内体
１８Ａ　　　上面
１６　　　　クレードル
２４　　　　磁石
２６　　　　補助ガイド
Ｌ１　　　　延長線
【図１】
2004030324.tif 000003
【図２】
2004030324.tif 000004
【図３】
2004030324.tif 000005
【図４】
2004030324.tif 000006